(57)【要約】【課題】段取り換え治具の交換及びオイルバスや洗浄機コンベアのメンテナンスを容易にする。【解決手段】金属中子を溶解するためのオイルを収納したオイルバス１の近傍にメンテナンススペース７を介して洗浄機コンベア２を設けるとともに、オイルバス１の洗浄機コンベア２側に段取り換え治具６を設け、洗浄機コンベア２に固定オイルパン８を取り付け、一対の可動オイルパン９を段取り換え治具６及びメンテナンススペース７の上方に相互に隣接して設けるとともに、各可動オイルパン９の一端をオイルバス１に回動自在に取り付け、各可動オイルパン９の他端を固定オイルパン８に係合し、各可動オイルパン９の隙間上にガード１０を載置し、固定オイルパン８、各可動オイルパン９及びガード１０により樹脂成形体をオイルバス１から洗浄機コンベア２へ移載する際に垂れ落ちるオイルを受ける。【選択図】図１
2008119862.tif 000002
【特許請求の範囲】
【請求項１】
樹脂成形体の成形時に用いられる金属中子を溶解するための高温のオイルを収納したオイルバスと、オイルバスの近傍にメンテナンススペースを介して設けられ、金属中子が溶解された樹脂成形体が移載されてオイルが洗浄される洗浄機コンベアと、オイルバスの洗浄機コンベア側に設けられ、樹脂成形体の機種によって段取り換えを行う段取り換え治具とを備えた樹脂成形体の溶解・洗浄装置において、洗浄機コンベアに取り付けられた固定オイルパンと、段取り換え治具及びメンテナンススペースの上方に相互に隣接して設けられるとともに、一端がオイルバスに回動自在に取り付けられ、かつ他端が固定オイルパンに係脱自在に係合する一対の可動オイルパンと、一対の可動オイルパンの隙間上に載置されるガードとを備え、固定オイルパン、可動オイルパン及びガードにより樹脂成形体をオイルバスから洗浄機コンベアへ移載する際に垂れ落ちるオイルを受け止めるようにしたことを特徴とする樹脂成形体の溶解・洗浄装置。
【請求項２】
跳ね上げ状態の可動オイルパンが倒れるのを防止するストッパを可動オイルパンに設けたことを特徴とする請求項１記載の樹脂成形体の溶解・洗浄装置。
【発明の詳細な説明】
【技術分野】
【０００１】
この発明は、樹脂成形体の溶解・洗浄装置に関するものである。
【背景技術】
【０００２】
従来、自動車部品等を形成する樹脂成形体の製造においては、特許文献１に示されるように樹脂成形体の成形後、高温のオイルにより金属中子を溶解し、その後、樹脂成形体を洗浄してオイル等を除去することが行われている。
【０００３】
図３は従来の樹脂成形体の溶解・洗浄装置の平面図を示し、１は高温のオイルが収納されたオイルバスであり、成形された樹脂成形体をオイルバス１内において高温のオイル中に浸漬して、金属中子を溶解し、その後樹脂成形体を洗浄機コンベア２に載せ、樹脂成形体に付着しているオイル等を洗浄除去する。樹脂成形体のオイルバス１への移動、及びオイルバス１から洗浄機コンベア２への移動等はロボット３，４により行う。ロボット３，４は回動自在な本体部３ａ，４ａと本体部３ａ，４ａに取り付けられたアーム部３ｂ，４ｂとからなる。又、オイルバス１と洗浄機コンベア２との間にはオイルが垂れ落ちるのを受け止めるためにオイルパン５が設けられ、オイルパン５の下方のオイルバス１の洗浄機コンベア側には樹脂成形体の製品の機種によって段取り換えを行う段取り換え治具６が設けられ、またオイルパン５の下方のオイルバス１と洗浄機コンベア２との間のスペースは、オイルバス１及び洗浄機コンベア２のメンテナンススペース７となっている。
【特許文献１】特開平６−８２５号公報
【発明の開示】
【発明が解決しようとする課題】
【０００４】
上記したように、段取り換え治具６はオイルパン５の下方のオイルバス１の洗浄機コンベア２側に設けられているので、段取り換え治具６の交換の際にオイルパン５が邪魔になり、作業に時間がかかった。又、オイルバス１及び洗浄機コンベア２のメンテナンススペース７もオイルパン５の下方に設けられているので、メンテナンスの際にはオイルパン５を取り外さなければならないので時間がかかり、緊急時には対応できなかった。
【０００５】
この発明は上記のような課題を解決するために成されたものであり、段取り換え治具の交換を容易に行うことができるとともに、オイルバスや洗浄機コンベアのメンテナンスを容易に行うことができる樹脂成形体の溶解・洗浄装置を得ることを目的とする。
【課題を解決するための手段】
【０００６】
この発明の請求項１に係る樹脂成形体の溶解・洗浄装置は、樹脂成形体の成形時に用いられる金属中子を溶解するための高温のオイルを収納したオイルバスと、オイルバスの近傍にメンテナンススペースを介して設けられ、金属中子が溶解された樹脂成形体が移載されてオイルが洗浄される洗浄機コンベアと、オイルバスの洗浄機コンベア側に設けられ、樹脂成形体の機種によって段取り換えを行う段取り換え治具とを備えた樹脂成形体の溶解・洗浄装置において、洗浄機コンベアに取り付けられた固定オイルパンと、段取り換え治具及びメンテナンススペースの上方に相互に隣接して設けられるとともに、一端がオイルバスに回動自在に取り付けられ、かつ他端が固定オイルパンに係脱自在に係合する一対の可動オイルパンと、一対の可動オイルパンの隙間上に載置されるガードとを備え、固定オイルパン、可動オイルパン及びガードにより樹脂成形体をオイルバスから洗浄機コンベアへ移載する際に垂れ落ちるオイルを受け止めるようにしたものである。
【０００７】
請求項２に係る樹脂成形体の溶解・洗浄装置は、跳ね上げ状態の可動オイルパンが倒れるのを防止するストッパを可動オイルパンに設けたものである。
【発明の効果】
【０００８】
以上のようにこの発明の請求項１によれば、一対の可動オイルパンの一端はオイルバスに回動自在に取り付けられているので、段取り換え治具の交換時には可動オイルパンを跳ね上げることにより下方に位置する段取り換え治具の交換を容易に行うことができる。又、オイルバスや洗浄機コンベアのメンテナンスも可動オイルパンを跳ね上げることにより容易に行うことができる。さらに、可動オイルパンを分割構造としているので、オイルパンの跳ね上げ等の作業を一人で行うことができる。
【０００９】
請求項２によれば、可動オイルパンに跳ね上げ状態の時に倒れるのを防止するストッパを設けたので、段取り換え治具の交換作業やオイルバス、洗浄機コンベアのメンテナンス作業を安全に行うことができる。
【発明を実施するための最良の形態】
【００１０】
以下、この発明を実施するための最良の形態を図面とともに説明する。図１（ａ）〜（ｃ）はこの発明の実施最良形態による樹脂成形体の溶解・洗浄装置の要部平面図、要部側面図及び図１（ａ）のＡ−Ａ線縦断面図、図２は図１（ｃ）の一部拡大図であり、ロボット３，４は図示省略している。オイルバス１の近傍にはメンテナンススペース７を介して洗浄機コンベア２が設けられ、オイルバス１の洗浄機コンベア２側には段取り換え治具６が設けられる。又、８は固定オイルパンであり、洗浄機コンベア２に取り付けられる。９は段取り換え治具６及びメンテナンススペース7の上方において一端がオイルバス１に回動自在に取り付けられた一対の可動オイルパンであり、相互に隣接して設けられる。各可動オイルパン９の他端は固定オイルパン８に係脱自在に係合する。また、一対の可動オイルパン９の隙間上にはガード１０が載置される。１１はオイルバス１に回動自在に設けられたストッパ、１２は同じくオイルバス１に設けられたストッパ受けである。
【００１１】
次に、上記構成の動作を説明する。樹脂成形体の成形後、樹脂成形体はオイルバス１内に移動され、高温のオイルに浸漬され、金属中子が溶解される。その後、樹脂成形体はオイルバス１から洗浄機コンベア２に移載され、オイルが洗浄される。この移載の際に垂れ落ちるオイルは、固定オイルパン８、一対の可動オイルパン９及びガード１０により受け止められる。又、段取り換え治具６の交換時、あるいはオイルバス１や洗浄機コンベア２のメンテナンス時にはガード１０や可動オイルパン９は段取り換え治具６やメンテナンススペース７の上方に位置しているので邪魔である。そこで、この際には、ガード１０を除去し、一対の可動オイルパン９を跳ね上げる。可動オイルパン９は分割構造となっているので、片手で動かすことができる重量となっている。この際、ストッパ１１をストッパ受け１２側に倒す。これにより、跳ね上げ状態の可動オイルパン９は倒れるのを防止される。
【００１２】
以上のように、上記実施最良形態においては、一対の可動オイルパン９は跳ね上げ可能となっているので、その下方に位置する段取り換え治具６の交換を容易に行うことができ、またメンテナンススペース７も可動オイルパン９の下方に位置しているので、オイルバス１及び洗浄機コンベア２のメンテナンスも容易に行うことができる。又、可動オイルパン９は分割構造となっているので、その跳ね上げ作業を一人で行うことができる。さらに、可動オイルパン９にストッパ１１を設け、跳ね上げ状態の可動オイルパン９が倒れるのを防止しているので、段取り換え治具６の交換作業やオイルバス１や洗浄機コンベア２のメンテナンス作業を安全に行うことができる。
【図面の簡単な説明】
【００１３】
【図１】この発明の実施最良形態による樹脂成形体の溶解・洗浄装置の要部平面図、要部側面図及び図１（ａ）のＡ−Ａ線縦断面図である。
【図２】図１（ｃ）の一部拡大図である。
【図３】従来の樹脂成形体の溶解・洗浄装置の平面図である。
【符号の説明】
【００１４】
１…オイルバス
２…洗浄機コンベア
３，４…ロボット
６…段取り換え治具
７…メンテナンススペース
８…固定オイルパン
９…可動オイルパン
１０…ガード
１１…ストッパ
１２…ストッパ受け
【図１】
2008119862.tif 000003
【図２】
2008119862.tif 000004
【図３】
2008119862.tif 000005